(57)【要約】      （修正有）【課題】太陽電池に対する電気接続を行うための相互接続であって、単一先端である相互接続を提供する。【解決手段】相互接続２４が単一先端２６から構成され、単一先端に接続される第２の先端２０がなく、接続されるクロスバー２２がない、相互接続である。複数の相互接続が、太陽電池の縁部にわたり均等に配置されてよい。一実施例では、太陽電池が６０cm2未満の面積を有するときに、３つの相互接続が、太陽電池の縁部にわたり均等に配置される。別の一実施例では、太陽電池が６０cm2より大きい面積を有するときに、４つ以上の相互接続が、太陽電池の縁部にわたり均等に配置される。【選択図】図２Ａ
2020198426.tif 000002
【特許請求の範囲】
【請求項１】
電気接続を行うための１以上の相互接続（２４）であって、前記相互接続（２４）のそれぞれが単一先端（２６）から構成され、前記単一先端（２６）に接続される第２の先端（２０）がなく、接続されるクロスバー（２２）がない、相互接続（２４）を備える、装置。
【請求項２】
前記相互接続（２４）のそれぞれが、アルミニウム（Al）、銅（Cu）、銀（Ag）、金（Au）、モリブデン（Mo）、鉄ニッケルコバルト合金、インバー（Invar：64FeNi）、又はそれらの合金若しくは組み合わせから選択された、導電性接合可能材料の１以上の層を含む、請求項１に記載の装置。
【請求項３】
前記相互接続（２４）のそれぞれが、長さが約０．２５から１インチであり、幅が約４０から１００ミルであり、厚さが約１から２ミルである、請求項１又は２に記載の装置。
【請求項４】
前記相互接続（２４）が、太陽電池（１０）に対する前記電気接続を行う、請求項１から３のいずれか一項に記載の装置。
【請求項５】
複数の前記相互接続（２４）が、前記太陽電池（１０）の縁部にわたり均等に配置されている、請求項４に記載の装置。
【請求項６】
前記複数の前記相互接続（２４）が、前記太陽電池（１０）の縁部にわたり均等に配置された３つの相互接続（２４）を備え、前記太陽電池（１０）が、６０cm2未満の面積を有するか、又は、前記複数の前記相互接続（２４）が、前記太陽電池（１０）の縁部にわたり均等に配置された４つ以上の相互接続（２４）を備え、前記太陽電池（１０）が、６０cm2より大きい面積を有する、請求項５に記載の装置。
【請求項７】
電気接続を行うための１以上の相互接続（２４）であって、前記相互接続（２４）のそれぞれが単一先端（２６）から構成され、前記単一先端（２６）に接続される第２の先端（２０）がなく、接続されるクロスバー（２２）がない、相互接続（２４）を製作することを含む、方法。
【請求項８】
前記相互接続（２４）のそれぞれが、アルミニウム（Al）、銅（Cu）、銀（Ag）、金（Au）、モリブデン（Mo）、鉄ニッケルコバルト合金、インバー（Invar：64FeNi）、又はそれらの合金若しくは組み合わせから選択された、導電性接合可能材料の１以上の層を含む、請求項７に記載の方法。
【請求項９】
前記相互接続（２４）のそれぞれが、長さが約０．２５から１インチであり、幅が約４０から１００ミルであり、厚さが約１から２ミルである、請求項７又は８に記載の方法。
【請求項１０】
１以上の相互接続（２４）を使用して１以上の太陽電池（１０）との電気接続を行うことであって、前記相互接続（２４）のそれぞれが単一先端（２６）から構成され、前記単一先端（２６）に接続される第２の先端（２０）がなく、接続されるクロスバー（２２）がない、電気接続を行うことを含む、方法。
【請求項１１】
前記１以上の太陽電池（１０）のアレイ（５２）を含むパネル（５０）内の前記１以上の太陽電池（１０）との前記電気接続を行うことを更に含む、請求項１０に記載の方法。
【請求項１２】
パネル（５０）を含む宇宙機内の前記１以上の太陽電池（１０）との前記電気接続を行うことを更に含む、請求項１０又は１１に記載の方法。
【請求項１３】
１以上の太陽電池（１０）、及び
前記太陽電池（１０）との電気接続を行うための１以上の相互接続（２４）であって、前記相互接続（２４）のそれぞれが単一先端（２６）から構成され、前記単一先端（２６）に接続される第２の先端（２０）がなく、接続されるクロスバー（２２）がない、相互接続（２４）を備える、装置。
【請求項１４】
前記太陽電池（１０）のアレイ（５２）を含むパネル（５０）を更に備える、請求項１３に記載の装置。
【請求項１５】
パネル（５０）を含む宇宙機を更に備える、請求項１３又は１４に記載の装置。
【発明の詳細な説明】
【技術分野】
【０００１】
本開示は、広くは、太陽電池向けの単一先端（single toe）相互接続に関する。
【背景技術】
【０００２】
太陽光から太陽電池によって生成される電力を利用するために、電流が、太陽電池から外部の回路に運ばれなければならない。通常、これは、金属グリッドライン（デバイスの全面積から電流を集める細かい特徴）、１以上のバスバー（多くのグリッドラインから電流を集めるより大きな特徴）、接触パッド（他のデバイスに接続するためにタブ／相互接続を取り付けるための場所）、及び接触パットと他のデバイスとの間に亘る相互接続を使用して行われる。これらのグリッド、バスバー、接触パッド、タブ、及び相互接続は全て、寄生損失をもたらす。
【０００３】
グリッド、バスバー、接触パッド、及び相互接続向けに使用される金属も、光が太陽電池の半導体層に到達することを妨げることによって、寄生損失から、及び一連の抵抗によって、太陽電池の変換効率に対して電力損失を課す。最先端の宇宙用太陽電池では、太陽電池の金属被覆が、主要な損失要因である。グリッドライン及びバスバーの設計の最適化は、掩蔽を低減させるための標準的な実務だが、接触点と相互接続の設計と位置は、あまり注目されていなかった。
【０００４】
通常、宇宙太陽電池は、できるだけ広く間隔を空けられた２つ又は３つの相互接続を有する。この一般的なやり方は、太陽電池に亀裂が入った場合の開回路のリスクを低減することを意図しているが、電流がバスバーに沿って比較的長い距離を流れることももたらす。大型太陽電池向けの相互接続を取り外すと、効率が低下することが知られている。例えば、直近の進化は、面積が６５cm2未満の全ての太陽電池に対して、相互接続を３つから２つに減少させることだった。残りの２つの相互接続は、できるだけ広く間隔を空けられている。
【０００５】
しかし、広く間隔を空けられた相互接続は、電流を相互接続に流すときに抵抗損失を高め、且つ／又はセル電流を低減させるバスバーの寸法の増大をもたらす。更に、広く間隔を空けられた相互接続は、セル亀裂が全ての相互接続を分離して、開回路を生成するリスクを高める。更に、相互接続は、２の倍数でしか利用できないので、過大設計又は過少設計となる解決策（solution）に導かれる。
【０００６】
したがって、太陽電池の相互接続を改善することが、当該技術分野で必要とされている。本開示は、この必要性を満たす。
【発明の概要】
【０００７】
上述された制限を克服するために、そして、本明細書を読み理解することで明らかとなる他の制限を克服するために、本開示は、太陽電池に対する電気接続を行うための相互接続を説明する。その場合、相互接続は、単一先端から構成され、単一先端に接続される第２の先端はなく、接続されるクロスバーは存在しない。本開示は、相互接続を製作するための方法、及び相互接続を使用して電気接続を行うための方法も説明する。
【０００８】
相互接続は、アルミニウム（Al）、銅（Cu）、銀（Ag）、金（Au）、モリブデン（Mo）、コバール（Kovar（登録商標）：鉄ニッケルコバルト合金）、インバー（Invar：64FeNi）、又はそれらの合金若しくは組み合わせから選択された、導電性接合可能材料の１以上の層を含む。相互接続は、長さが約０．２５から１インチであり、幅が約４０から１００ミルであり、厚さが約１から２ミルである。
【０００９】
複数の相互接続が、太陽電池の縁部にわたり均等に配置されてよい。一実施例では、太陽電池が６０cm2未満の面積を有するときに、３つの相互接続が、太陽電池の縁部にわたり均等に配置される。別の一実施例では、太陽電池が６０cm2より大きい面積を有するときに、４つ以上の相互接続が、太陽電池の縁部にわたり均等に配置される。
【００１０】
次に、類似の参照番号が全体を通じて対応する部分を表す、図面を参照する。
【図面の簡単な説明】
【００１１】
【図１Ａ】典型的な太陽電池、及び太陽電池によって生成された電力を送るために使用される相互接続を示す。
【図１Ｂ】１つの相互接続用の典型的な構成を示す。
【図２Ａ】第２の先端及びクロスバーがない、単一先端から構成される相互接続を示す。
【図２Ｂ】太陽電池の１つの縁部に沿った４つの相互接続の配置を示す。
【図２Ｃ】太陽電池の１つの縁部に沿った５つの相互接続の配置を示す。
【図３】種々の数及びタイプの相互接続を有する太陽電池についての相対的な電力損失（すなわち、抵抗損失、掩蔽、及び全電力損失）のグラフである。
【図４Ａ】太陽電池、太陽電池パネル、及び／又は人工衛星を製作する方法を示す。
【図４Ｂ】太陽電池を含む太陽電池パネルを有する、結果として得られる人工衛星を示す。
【図５】機能ブロック図の形態を採る、太陽電池パネルの図である。
【発明を実施するための形態】
【００１２】
以下の説明では、その一部を形成している添付図面を参照する。これらの図面には、本開示が実践され得る具体的な実施例が、例示を目的として示されている。他の実施例も利用可能であり、本開示の範囲を逸脱することなく、構造的な変更を加え得ることが理解されるべきである。
【００１３】
概要
本開示は、比較的少なくて大きい相互接続を、比較的多くて小さい相互接続で置き替えることによって、太陽電池同士の電気接続を改善する。現在、宇宙グレードの相互接続は、クロスバーを用いて接続される２つの平行で平坦な金属「先端（toe）」又は「脚（leg）」を含む。本開示では、相互接続が、第２の先端及び接続されるクロスバーがない、単一の平坦な金属先端から構成される。
【００１４】
ただ１つの先端を有する相互接続を作製することによって、相互接続の数が、奇数の相互接続を含んで、セル及びプログラムに対して適正にサイズ決定されることが可能になる。クロスバーを除去することによって、相互接続が、太陽電池の縁部にわたりより均等に配置されることが可能になり、太陽電池の効率を増加させ、材料のコストを低減させ、信頼性を改善し、相互接続のリアルタイムのレーザー切断などの進化した製造を可能にする。
【００１５】
技術的な説明
図１Ａは、太陽電池１０、及び太陽電池１０によって生成された電力を送るために使用される相互接続１２を示している。太陽電池１０は、太陽電池１０の全面積から電流を集める金属グリッドライン１４と、グリッドライン１４から電流を集める１以上のバスバー１６と、相互接続１２を取り付けるために使用される接触パッド１８であって、相互接続１２が接触パッド１８と他のデバイス（図示せず）との間に亘る、接触パッド１８とを含む。
【００１６】
図１Ａで示されているように、通常、宇宙用太陽電池１０は、できるだけ広く間隔を空けられた２つ又は３つの相互接続１２を有する。この一般的なやり方は、太陽電池に亀裂が入った場合の開回路のリスクを低減することを意図しているが、電流がバスバー１６に沿って比較的長い距離を流れることももたらす。しかし、顧客は、効率の損失をもたらすことが知られている大型セル１０向けの相互接続１２が、取り除かれることを知っていた。
【００１７】
図１Ｂは、１つの相互接続１２についての構成を示している。相互接続１２は、平行に配置された薄くて平坦な２つの金属先端又は脚２０を含む。２つ以上のクロスバー２２が、２つの先端２０を適所に保持している。溶接の冗長性を提供する必要があるので、二重の先端２０が使用されている。
【００１８】
この構成の制限は、以下のものを含む。すなわち、
・クロスバー２２は、二重の先端２０が近くに配置されることを必要とする。それは、利点を有する。すなわち、機械的応力が先端２０に集中し、２つの先端２０を近くに配置することによって、応力集中係数が増加する。
・クロスバー２２を使用することによって、各相互接続１２を作製するために必要とされる材料の幅が広がる。
・広く間隔を空けられた相互接続１２は、電流を相互接続１２に流す抵抗損失を高め、且つ／又はセル電流を低減させるバスバー１６の寸法の増大をもたらす。
・広く間隔を空けられた相互接続１２は、太陽電池１０の亀裂が全ての相互接続１２を分離して、開回路を生成するリスクを高める。
・相互接続１２は、２の倍数でしか利用できないので、過大設計又は過少設計となる解決策に導かれる。
【００１９】
上述されたように、太陽電池１０の金属被覆は、主要な損失要因である。グリッドライン１４及びバスバー１６は、掩蔽を低減させるように最適化されたが、相互接続１２は、ほとんど注目されなかった。
【００２０】
本開示は、単一先端又は脚を有する改善された相互接続向けの新しい設計を提供し、太陽電池の縁部にわたり比較的均等に相互接続を分散させることによって、これらの制限を克服する。
【００２１】
この新しい設計を使用する装置、製造方法、及び電気接続を行う方法が、図２Ａ、図２Ｂ、及び図２Ｃで示されている。ここで、図２Ａは、太陽電池１０に対する電気接続を行うための相互接続２４であって、単一先端２６に接続される第２の先端２０及び接続されるクロスバー２２なしに、単一先端２６から構成される相互接続２４を示している。図２Ｂは、太陽電池１０の縁部に沿って均等に配置された複数の（すなわち、４つの）相互接続２４を示している。そして、図２Ｃは、太陽電池１０の縁部に沿って均等に配置された複数の（すなわち、５つの）相互接続２４を示している。
【００２２】
一実施例では、相互接続２４が、アルミニウム（Al）、銅（Cu）、銀（Ag）、金（Au）、モリブデン（Mo）、コバール（Kovar（登録商標）：鉄ニッケルコバルト合金）、インバー（Invar：64FeNi）、又はそれらの合金若しくは組み合わせから選択された、例えば金属箔の形態を採る導電性接合可能材料の１以上の層を含む。相互接続２４は、長さが約０．２５から１インチであり、幅が約４０から１００ミルであり、厚さが約１から２ミルである。
【００２３】
一実施例では、複数の相互接続が、太陽電池１０が６０cm2未満の面積を有するときに、太陽電池１０の縁部にわたり、均等に（すなわち、各相互接続２４同士の間隔が等しい状態で）配置された３つの相互接続２４を備える。別の一実施例では、複数の相互接続２４が、太陽電池１０が６０cm2より大きい面積を有するときに、太陽電池１０の縁部にわたり均等に配置された４つ以上の相互接続２４を備える。
【００２４】
この相互接続２４によって、バスバー１６内の電流損失と電圧損失の両方が低減される一方で、アセンブリの消耗を低減させ、開回路のリスク緩和を維持する。その結果、クロスバー２２が接続された二重先端相互接続１２を取り除くことによって、効率が改善され、寄生損失が低減され、製造性が改善される。
【００２５】
図３は、３×二重先端相互接続（IC）１２、４×単一先端IC２４、５×単一先端IC２４、６×単一先端IC２４、及び８×２０ミルのワイヤボンドを含む、種々の数及びタイプの相互接続を有する７０cm2より大きい面積の太陽電池１０についての相対的な電力損失（すなわち、抵抗損失、掩蔽、及び全電力損失）のグラフである（より低い電力損失がより優れている）。
【００２６】
動作効率の観点から、単一先端相互接続２４のこの解決策に目を向けないかもしれない理由が存在する。例えば、相互接続２４に対して使用される還元金属は、損傷の潜在的な可能性を高め得る。
【００２７】
しかし、太陽電池１０同士の間で単一先端相互接続２４を使用することによって、改善された冗長性、低減されたアセンブリ消耗、より柔軟な設計オプション、増加した信頼性、改善された効率、低減された材料コスト、及び進化した製造を含む、幾つかの利益がもたらされる。
【００２８】
例えば、冗長性を高めるために、単一先端相互接続２４を使用することによって、相互接続の数は増加し得る。代替的に、アセンブリ消耗を低減させるために、単一先端相互接続２４を使用する相互接続の数は、低減され得る。
【００２９】
本開示は、より柔軟な設計のオプションを提供する。それは、新しい相互接続２４を使用する太陽電池１０が、より多くの相互接続点（より大きな冗長性）又はより少ない相互接続点（低減されたアセンブリ消耗）を有してよいということである。
【００３０】
特に、新しい相互接続２４を使用して、二重先端２０の間のクロスバー２２を除去することによって、本開示は、相互接続の数及びこれらの相互接続の位置を選択するためのより大きな設計の自由度を提供する。例えば、太陽電池１０向けの奇数の相互接続は、相互接続２４を使用して可能となり、一方で、相互接続１２は、二重先端２０により常に偶数の相互接続をもたらす。
【００３１】
本開示は、相互接続２４の数、間隔、及び／又は位置によって決定されるように、現在必要とされているのと同等な、よりも大きい、又はよりも小さい信頼性を提供することができる。例えば、相互接続の数、間隔、及び位置は、太陽電池１０の効率を改善するように選択されてよく（均等に配置され）、又は幾つかの他の制約に基づいて配置されてよい。特に、相互接続２４を使用する相互接続の位置は、クロスバー２２によって制約を受けない。
【００３２】
クロスバー２２を除去することによって、相互接続２４は、太陽電池１０の縁部にわたりより均等に配置することが可能になる。それと同時に、太陽電池１０の効率が高まり、材料コストが減少し、信頼性が増加する。例えば、相互接続２４同士の間隔を均等にすることによって、太陽電池１０の亀裂が生じる可能性を低減させることにより、改善された信頼性に導かれる。それらの亀裂は、相互接続２４を電気的に孤立させて、開回路を生成し得る。相互接続２４の間隔を均等にすることによって、バスバー１６の低減された掩蔽及び抵抗損失による、より高い太陽電池１０の効率にも導かれる。
【００３３】
単一先端相互接続２４は、本質的に、製作において消費される材料の量、したがって、相互接続２４のコストを低減させる。クロスバー２２は、相互接続１２の材料消費及びコストを増加させ、太陽電池１０上の接触パッド１８の掩蔽を増加させる。単一先端相互接続２４は、原材料からの相互接続２４のリアルタイムのレーザー切断などの、進化した製造概念により合致している。単一先端相互接続２４は、太陽電池１０向けの機械的応力の緩和も提供する。
【００３４】
製作
本開示の実施例は、１以上の相互接続２４、相互接続２４を使用する太陽電池１０、太陽電池１０を含む太陽電池パネル、及び／又は太陽電池パネルを含む人工衛星などの宇宙機（space vehicle）を製作する方法２８の文脈において説明され得る。該方法は、図４Ａで示されているように、ステップ３０〜４２を含む。１以上の太陽電池１０のアレイ５２を含むパネル５０を含む、様々なシステム４６及び本体４８を含む、結果として得られる人工衛星４４が図４Ｂで示されている。
【００３５】
図４Ａで示されているように、製造前段階では、例示的な方法２８が、人工衛星４４の仕様及び設計３０と、人工衛星４４向けの材料の調達３２とを含み得る。製造段階では、人工衛星４４の構成要素及びサブアセンブリの製造３４と、人工衛星４４のシステムインテグレーション３６とが行われ、これらは、人工衛星４４、パネル５０、アレイ５２、及び太陽電池１０を製作することを含む。その後、人工衛星４４は、運航４０に供されるために、認可及び納品３８に供され得る。人工衛星４４は、（修正、再構成、改装などを含む）発射される前の整備及び保守４２向けのスケジューリングも行われ得る。
【００３６】
方法２８の各工程は、システムインテグレータ、第三者、及び／又はオペレータ（例えば、顧客）によって実行又は実施され得る。この明細書の解釈上、システムインテグレータは、任意の数の製造業者及び主要システム下請業者を含み得るが、それらに限定されず、第三者は、任意の数のベンダー、下請業者、及び供給業者を含み得るが、それらに限定されず、且つ、オペレータは、人工衛星会社、軍事団体、サービス機関などであってよい。
【００３７】
図４Ｂで示されているように、例示的な方法２８によって製作された人工衛星４４は、様々なシステム４６及び本体４８を含み得る。人工衛星４４と共に含まれるシステム４６の例は、推進システム５４、電気システム５６、通信システム５８、及び電力システム６０のうちの１以上を含むが、これらに限定されるものではない。任意の数の他のシステムも含まれ得る。
【００３８】
機能ブロック図
図５は、一実施例による、機能ブロック図の形態を採る、パネル５０の例示である。パネル５０は、アレイ５２を含む。アレイ５２は、パネル５０に個別に取り付けられた太陽電池１０のうちの１以上を含む。太陽電池１０のそれぞれは、光源６４から光６２を吸収し、それに応答して電気出力６６を生成する。
【００３９】
太陽電池１０のうちの少なくとも１つは、太陽電池１０の全面積から電流を集める少なくとも１つの金属グリッドライン１４、グリッドライン１４から電流を集めるバスバー１６、及び、電気接続を行うための相互接続２４を取り付けるために使用される接触パッド１８であって、相互接続２４が接触パッド１８と他のデバイス（図示せず）との間に亘る、接触パッド１８を含む。
【００４０】
更に、本開示は以下の条項による実施例を含む。
条項１．
電気接続を行うための１以上の相互接続であって、前記相互接続のそれぞれが単一先端から構成され、前記単一先端に接続される第２の先端がなく、接続されるクロスバーがない、相互接続を備える、装置。
条項２．
前記相互接続のそれぞれが、アルミニウム（Al）、銅（Cu）、銀（Ag）、金（Au）、モリブデン（Mo）、コバール（Kovar（登録商標）：鉄ニッケルコバルト合金）、インバー（Invar：64FeNi）、又はそれらの合金若しくは組み合わせから選択された、導電性接合可能材料の１以上の層を含む、条項１に記載の装置。
条項３．
前記相互接続のそれぞれが、長さが約０．２５から１インチであり、幅が約４０から１００ミルであり、厚さが約１から２ミルである、条項１又は２に記載の装置。
条項４．
前記相互接続が、太陽電池に対する前記電気接続を行う、条項１から３のいずれか一項に記載の装置。
条項５．
複数の前記相互接続が、前記太陽電池の縁部にわたり均等に配置されている、条項４に記載の装置。
条項６．
前記複数の前記相互接続が、前記太陽電池の縁部にわたり均等に配置された３つの相互接続を備え、前記太陽電池が、６０cm2未満の面積を有する、条項５に記載の装置。
条項７．
前記複数の前記相互接続が、前記太陽電池の縁部にわたり均等に配置された４つ以上の相互接続を備え、前記太陽電池が、６０cm2より大きい面積を有する、条項５に記載の装置。
条項８．
電気接続を行うための１以上の相互接続であって、前記相互接続のそれぞれが単一先端から構成され、前記単一先端に接続される第２の先端がなく、接続されるクロスバーがない、相互接続を製作することを含む、方法。
条項９．
前記相互接続のそれぞれが、アルミニウム（Al）、銅（Cu）、銀（Ag）、金（Au）、モリブデン（Mo）、コバール（Kovar（登録商標）：鉄ニッケルコバルト合金）、インバー（Invar：64FeNi）、又はそれらの合金若しくは組み合わせから選択された、導電性接合可能材料の１以上の層を含む、条項８に記載の方法。
条項１０．
前記相互接続のそれぞれが、長さが約０．２５から１インチであり、幅が約４０から１００ミルであり、厚さが約１から２ミルである、条項８又は９に記載の方法。
条項１１．
前記相互接続が、太陽電池に対する前記電気接続を行う、条項８から１０のいずれか一項に記載の方法。
条項１２．
複数の前記相互接続が、前記太陽電池の縁部にわたり均等に配置されている、条項１１に記載の方法。
条項１３．
前記複数の前記相互接続が、前記太陽電池の縁部にわたり均等に配置された３つの相互接続を備え、前記太陽電池が、６０cm2未満の面積を有する、条項１２に記載の方法。
条項１４．
前記複数の前記相互接続が、前記太陽電池の縁部にわたり均等に配置された４つ以上の相互接続を備え、前記太陽電池が、６０cm2より大きい面積を有する、条項１２に記載の方法。
条項１５．
１以上の相互接続を使用して１以上の太陽電池との電気接続を行うことであって、前記相互接続のそれぞれが単一先端から構成され、前記単一先端に接続される第２の先端がなく、接続されるクロスバーがない、電気接続を行うことを含む、方法。
条項１６．
前記１以上の太陽電池のアレイを含むパネル内の前記１以上の太陽電池との前記電気接続を行うことを更に含む、条項１５に記載の方法。
条項１７．
前記パネルを含む宇宙機内の前記１以上の太陽電池との前記電気接続を行うことを更に含む、条項１６に記載の方法。
条項１８．
１以上の太陽電池、及び、前記太陽電池との電気接続を行うための１以上の相互接続であって、前記相互接続のそれぞれが単一先端から構成され、前記単一先端に接続される第２の先端がなく、接続されるクロスバーがない、相互接続を備える、装置。
条項１９．
前記１以上の相互接続が、６０cm2未満の面積を有する前記太陽電池のうちの１つの縁部にわたり均等に配置された３つの相互接続を備える、条項１８に記載の装置。
条項２０．
前記１以上の相互接続が、６０cm2より大きい面積を有する前記太陽電池のうちの１つの縁部にわたり均等に配置された４つ以上の相互接続を備える、条項１８又は１９に記載の装置。
条項２１．
前記太陽電池のアレイを含むパネルを更に備える、条項１８から２０のいずれか一項に記載の装置。
条項２２．
前記パネルを含む宇宙機を更に備える、条項２１に記載の装置。
【図１Ａ】
2020198426.tif 000003
【図１Ｂ】
2020198426.tif 000004
【図２Ａ】
2020198426.tif 000005
【図２Ｂ】
2020198426.tif 000006
【図２Ｃ】
2020198426.tif 000007
【図３】
2020198426.tif 000008
【図４Ａ】
2020198426.tif 000009
【図４Ｂ】
2020198426.tif 000010
【図５】
2020198426.tif 000011
【外国語明細書】
2020198426000001.pdf
2020198426000002.pdf
2020198426000003.pdf
2020198426000004.pdf